(57)【要約】【課題】高所であっても取り付け及び取り外しがし易い竿ピンチを提供する。【解決手段】物干竿Ｓに取り付けて使用される竿ピンチ１は、連結部４によって開閉自在に連結される一対の挟持片２１，３１と、前記挟持片２１，３１が閉じる方向へ付勢するバネ部材５と、前記挟持片２１，３１と一体成形され、前記一対の挟持片２１，３１を開閉させるための操作部となる一対の把持部２２，３２と、を備え、前記一対の挟持片２１，３１間を二分する中間軸Ｘと、前記一対の把持部２２，３２間を二分する中間軸Ｉとのなす角度が、平角より小さい角度となるように設けられ、且つ前記一対の挟持片２１，３１間を二分する中間軸Ｘと前記一対の把持部２２，３２のうち一方の把持部２２とのなす角度αが、鋭角となるように設けられる。【選択図】図１
2014180420.tif 000002
【特許請求の範囲】
【請求項１】
物干竿に取り付けて使用される竿ピンチであって、
連結部によって開閉自在に連結される一対の挟持片と、
前記挟持片が閉じる方向へ付勢するバネ部材と、
前記挟持片と一体成形され、前記一対の挟持片を開閉させるための操作部となる一対の把持部と、を備え、
前記一対の挟持片間を二分する中間軸と、前記一対の把持部間を二分する中間軸とのなす角度が、平角より小さい角度となるように設けられ、且つ前記一対の挟持片間を二分する中間軸と前記一対の把持部のうち一方の把持部とのなす角度が、鋭角となるように設けられることを特徴とする竿ピンチ。
【請求項２】
前記一対の把持部のうち他方の把持部は、前記一対の挟持片間を二分する中間軸に対して前記一方の把持部と同じ側に設けられることを特徴とする請求項１に記載の竿ピンチ。
【請求項３】
前記一対の把持部のなす角度が、鋭角に設定されることを特徴とする請求項１または２に記載の竿ピンチ。
【請求項４】
前記他方の把持部には、滑り止め部が設けられることを特徴とする請求項１〜３のいずれかに記載の竿ピンチ。
【発明の詳細な説明】
【技術分野】
【０００１】
本発明は、物干竿に取り付けて使用される竿ピンチに関する。
【背景技術】
【０００２】
従来、物干竿に取り付けられ、洗濯物などを固定するために使用される竿ピンチが知られている。
【０００３】
特許文献１に記載の竿ピンチは、一体成形された挟持片及び把持部並びにばねを備え、一対の挟持片及び把持部が、開閉軸によって左右対称且つ開閉自在に連結され、ばねの付勢力によって対面する挟持片が閉じ合うように構成されている。
【０００４】
一般的に、このような竿ピンチは、両把持部が近接する方向に操作されることによって挟持片の開操作が行われ、洗濯物などの掛けられた物干竿を挟持する場合には、開いた挟持片で物干竿を挟み込むようにした状態で、両把持部が離間する方向に操作されることによって挟持片の閉操作が行われる。
【先行技術文献】
【特許文献】
【０００５】
【特許文献１】特開２００５−１０３１４３号
【発明の概要】
【発明が解決しようとする課題】
【０００６】
しかしながら、上述したような竿ピンチは、物干竿や洗濯物などを両挟持片でバランスよくしっかり挟持するために、把持部を物干竿の上方に位置させた状態で挟持片の閉操作がなされるのが一般的な使用方法であり、高所に設けられた物干竿Ｓなどに対して竿ピンチ１００の取り付け、取外しをする場合には、把持部を物干竿Ｓの上方に位置させて操作するため、取り付け及び取外しがし難いという問題があった（特に、図６（ａ）参照）。
【課題を解決するための手段】
【０００７】
本発明は、上述した技術背景に鑑み、高所であっても取り付け及び取り外しがし易い竿ピンチの提供を目的とする。
【０００８】
即ち、本発明は下記［１］〜［４］に記載の構成を有する。
【０００９】
［１］  物干竿に取り付けて使用される竿ピンチであって、
連結部によって開閉自在に連結される一対の挟持片と、
前記挟持片が閉じる方向へ付勢するバネ部材と、
前記挟持片と一体成形され、前記一対の挟持片を開閉させるための操作部となる一対の把持部と、を備え、
前記一対の挟持片間を二分する中間軸と、前記一対の把持部間を二分する中間軸とのなす角度が、平角より小さい角度となるように設けられ、且つ前記一対の挟持片間を二分する中間軸と前記一対の把持部のうち一方の把持部とのなす角度が、鋭角となるように設けられることを特徴とする竿ピンチ。
【００１０】
［２］  前記一対の把持部のうち他方の把持部は、前記一対の挟持片間を二分する中間軸に対して前記一方の把持部と同じ側に設けられることを特徴とする前項１に記載の竿ピンチ。
【００１１】
［３］  前記一対の把持部のなす角度が、鋭角に設定されることを特徴とする前項１または２に記載の竿ピンチ。
【００１２】
［４］  前記他方の把持部には、滑り止め部が設けられることを特徴とする前項１〜３のいずれかに記載の竿ピンチ。
【発明の効果】
【００１３】
上記［１］に記載の発明によれば、連結部によって開閉自在に連結される一対の挟持片と、挟持片が閉じる方向へ付勢するバネ部材と、挟持片と一体成形され、一対の挟持片を開閉させるための操作部となる一対の把持部と、を備え、一対の挟持片間を二分する中間軸と、一対の把持部間を二分する中間軸とのなす角度が、平角より小さい角度となるように設けられ、且つ一対の挟持片間を二分する中間軸と一対の把持部のうち一方の把持部とのなす角度が、鋭角となるように設けられるので、挟持片が下向きとなる姿勢において、一対の挟持片の中間軸と一対の把持部の中間軸とのなす角度が、平角より小さい角度となるように設けられ、且つ一対の挟持片の中間軸と一方の把持部とのなす角度が、鋭角となるように設けられる構成によって、側方から把持部を鉛直方向に操作でき、それも一方の把持部が略水平位置或いは水平位置よりも下方位置の間に位置するため、開閉操作が容易になり、物干竿への取り付け及び取り外しがし易い。
【００１４】
上記［２］に記載の発明によれば、一対の把持部のうち他方の把持部が、一対の挟持片間を二分する中間軸に対して一方の把持部と同じ側に設けられるので、一対の把持部が指で摘まみ易い範囲に設けられるようになり、指による把持部の開閉操作がし易い。
【００１５】
上記［３］に記載の発明によれば、一対の把持部のなす角度が、鋭角に設定されるので、指を使って把持部の開閉操作をする場合の操作範囲が狭くなるため、より摘まみ易く、より開閉操作し易い。
【００１６】
上記［４］に記載の発明によれば、他方の把持部に滑り止め部が設けられるので、把持部の開閉操作時に指が滑るなどする虞がなくなる。
【図面の簡単な説明】
【００１７】
【図１】本発明に係る竿ピンチの斜視図である。
【図２】図１に係る竿ピンチの（ａ）正面図（ｂ）左側面図（ｃ）右側面図（ｄ）平面図である。
【図３】図１に係る竿ピンチのＡ−Ａにおける断面図である。
【図４】図１に係る竿ピンチの（ａ）Ｂ−Ｂにおける断面図、（ｂ）Ｃ−Ｃにおける断面図である。
【図５】図１に係る竿ピンチの使用状態を説明するための説明図である。
【図６】（ａ）従来の竿ピンチの使用状態を説明するための説明図、（ｂ）図１に係る竿ピンチの使用状態を説明するための説明図である。
【発明を実施するための形態】
【００１８】
以下、図面を参照して、本発明の実施形態について説明する。
【００１９】
図１は、竿ピンチ１の斜視図、図２は、竿ピンチ１の正面図、側面図及び平面図、図３は、竿ピンチ１のＡ−Ａにおける断面図、図４（ａ）は、図１に係る竿ピンチ１のＢ−Ｂにおける断面図、図４（ｂ）は、図１に係る竿ピンチ１のＣ−Ｃにおける断面図、図５，６は、竿ピンチ１の使用状態を説明するための説明図である。
【００２０】
本発明の竿ピンチ１は、物干竿Ｓに取り付けられて、洗濯物などを固定するために使用されるものであり、一対の挟持部材２，３及び一つのバネ部材５からなる。
【００２１】
一対の挟持部材２，３は、連結部４によって開閉自在に連結されるようになっており、対になる挟持部材２，３同士が閉じられた状態で当接している面に平行且つ連結部４の中心を通る軸Ｘに対して、左右非対称に形成されている。
【００２２】
連結部４は、例えば、一方の挟持部材２から突出して設けられた略円形状の平行する２枚の板状体と、他方の挟持部材３から突出して設けられた略円形状の１枚の板状体とが噛み合わされてなる。
【００２３】
連結部４は、挟持部材２，３の長さ方向中間部付近であって、幅方向両端部にそれぞれ設けられている。
【００２４】
当該連結部４は、一対の挟持部材２，３を連結させるようになっていると同時に、一方の挟持部材２の２枚の板状体の間に他方の挟持部材３の１枚の板状体が差し込まれ、双方の略円形状の板状体が、対面する挟持部材２，３の円弧状に形成された壁に当接することで回動可能な構造となっているので、連結した挟持部材３を開閉自在に動作させるための支軸としての役割も果たしている。
【００２５】
尚、連結部４の構造は、上述した構造だけでなく、例えば、一方の挟持部材２に設けられた３枚の板状体の間に、他方の挟持部材３に設けられた２枚の板状体が差し込まれて連結されるものや、例えば、板状体以外のヒンジ部などによって連結されるものなど、少なくとも一対の挟持部材２，３を連結させ、開閉操作させることができれば特に限定されるものではない。
【００２６】
また、本実施形態のような板状体で形成された連結部４は、一つの挟持部材２，３の幅方向端部にそれぞれ１つずつ設けられると安定した回動操作を行うことができるため好ましいが、例えば、挟持部材２，３の幅方向中間部に１つの連結部のみが設けられるように構成されるのであってもよく、回動可能に構成されるのであれば特に限定されるものではない。
【００２７】
竿ピンチ１に設けられたバネ部材５は、ばね鋼材料などの金属線材からなり、リング状の一部を欠いた形状に形成される。
【００２８】
バネ部材５は、連結部４を中心にして挟持部材２，３に取り付けられることによって、挟持部材２，３を連結し、挟持部材２，３同士が離間することを防止する。
【００２９】
各挟持部材２，３には、その一端側に挟持片２１，３１が設けられ、他端側に把持部２２，３２が設けられている。
【００３０】
挟持片２１，３１は、物干竿Ｓを挟持するための部位であって、閉じ合わされた状態で、対になる挟持部材２，３同士が当接する面に平行且つ連結部４の中心を通る軸Ｘに対して左右対称に形成されている。
【００３１】
軸Ｘは、一対の挟持片２１，３１間を二分する中間軸Ｘであり、図示する竿ピンチ１においては、軸Ｘに対して挟持片２１，３が左右対称となっているため対称軸Ｘにもなっている。
【００３２】
一対の挟持片２１，３１は、挟持部材２，３を連結する連結部４によって開閉自在に連結されるようになっており、バネ部材５によって挟持部材２，３が連結して取り付けられ、挟持片２１，３１が閉じる方向へ付勢されるように構成されている。
【００３３】
挟持片２１．３１は、物干竿Ｓに取り付けやすいように、左右の挟持片２１，３１で挟み込んだ際に物干竿Ｓの外形形状に沿うように、丸みを帯びた形状に形成されている。
【００３４】
挟持片２１，３１は、端部が略Ｕ字状に切り欠かれ、二股状に分かれて形成されており、竿ピンチ１が閉じ合わされた状態で、二股状の挟持片２１ａの端部と対になる他方の挟持片３１ａの端部、及び挟持片２１ｂの端部と対になる他方の挟持片３１ｂの端部がそれぞれ当接するように構成されている。
【００３５】
各挟持片２１ａ，２１ｂ，３１ａ，３１ｂには、その端部の一部が突起した突起部２１２，３１２が設けられている。
【００３６】
突起部２１２，３１２には、対になる挟持片２１，３１同士が閉じ合わされた際に当接する当接面２１３，３１３が設けられている。
【００３７】
当接面２１３，３１３は、互いに当接した際に安定しやすいよう平面状に形成されている。
【００３８】
把持部２２，３２は、射出成形などによって挟持片２１，３１とそれぞれ一体成形され、一対の挟持片２１．３１を開閉させるための操作部となるものであって、一対の把持部２２，３２間を二分する中間軸Ｉに対して左右対称に形成されている。
【００３９】
各把持部２２，３２は、一対の挟持部材２，３が連結され且つ挟持片２１，３１が閉じられた状態で、少なくとも２本の指、例えば、第１指及び第２指で摘まんで操作することが可能な間隔となるように設けられている。
【００４０】
一対の把持部２２，３２は、連結部４の中心からの一方の把持部２２の長さ及び他方の把持部３２の長さが略等しくなるように形成されており、対向する面の裏面、即ち、各把持部２２，３２の外表面に指が掛けられて挟持片２１，２２の開閉操作がなされる。
【００４１】
尚、物干竿Ｓを挟むために必要は開き角度を得られるのであれば、連結部４の中心からの一方の把持部２２の長さ及び他方の把持部３２の長さが略等しくなるように形成されるのでなくてもよく、所望の開き角度に合わせて両把持部２２，３２の長さがそれぞれ設定されるとよい。
【００４２】
各把持部２２，３２の幅寸法は、２本の挟持片２１ａ，２１ｂ（３１ａ，３１ｂ）がなす幅寸法よりも小さい寸法になっており、各把持部２２，３２の外表面は、例えば、第１指及び第２指を使用して操作しやすいように平面状或いはやや曲面状に形成されている。
【００４３】
詳述すると、図４（ａ）Ｂ−Ｂにおける断面図で示すように、一方の把持部２２の外表面は、断面視で平面状に形成され、図４（ｂ）Ｃ−Ｃにおける断面図で示すように、他方の把持部３２の外表面は、断面視でやや曲面状になるように形成されている。
【００４４】
挟持部２２，３２を摘まみ操作する際、主に挟持部３２が動かされることになるが、他方の把持部３２の外表面が、断面視でやや曲面状になるように形成されるように構成することにより、他方の把持部３２の外表面が断面視で平面状に形成されている場合よりも滑り難く、操作し易い。
【００４５】
一対の把持部２２，３２のうち一方の把持部２２は、図２（ａ）に示すように、他方の把持部３２に対向する面が、一対の挟持片２１，３１間を二分する中間軸Ｘに対して鋭角α（例えば、７０°）となるように設けられている。
【００４６】
例えば、一方の把持部２２の他方の把持部３２に対向する面が、一対の挟持片２１，３１間を二分する中間軸Ｘに対して７０°より小さく設定されていれば、他方の把持部３２に第１指を掛け、一方の把持部２２に第２指で握るようにして両把持部２２，３２が操作される場合に、一方の把持部２２の下方に第２指を入れ辛くなる。
【００４７】
また、一方の把持部２２の他方の把持部３２に対向する面が、一対の挟持片２１，３１間を二分する中間軸Ｘに対して７０°より大きく設定されていれば、開き角度が狭くなり、開き角度を確保するために中間軸Ｘに対する他方の把持部３２の角度を大きくすればよいが、そうすると側方から把持部２２，３２を操作出来ない構成となってしまうため、一対の把持部２２，３２のうち一方の把持部２２は、他方の把持部３２に対向する面が、一対の挟持片２１，３１間を二分する中間軸Ｘに対して鋭角７０°となるように設けられることが好適である。
【００４８】
加えて、他方の把持部３２は、一対の挟持片２１，３１間を二分する中間軸Ｘに対して一方の把持部２２と同じ側に位置するように設けられる。
【００４９】
当然ながら、一対の挟持片２１，３１間を二分する中間軸Ｘと、一対の把持部２２，３２間を二分する中間軸Ｉとのなす角度は、平角より小さい角度となるように設けられている。
【００５０】
また、一対の把持部２２，３２のなす角度は、鋭角となるよう設定されている。
【００５１】
上述したように、他方の把持部３２が、挟持片２１，３１間を二分する中間軸Ｘに対して一方の把持部２２と同じ側に設けられるので、一対の把持部２２，３２が指で摘まみ易い範囲に設けられるようになり、指による把持部２２，３２の開閉操作がし易い。
【００５２】
その上、一対の把持部２２，３２のなす角度が鋭角に設定されると、複数の指を使って把持部２２，３２の開閉操作をする場合の操作範囲が狭くなるため、より摘まみ易く、より開閉操作がし易い。
【００５３】
挟持部材２，３には、連結部４の近傍に溝部２３，３３が形成されている。
【００５４】
溝部２３，３３は、入口が略楕円形状に形成され、バネ部材５の両端部が当該溝部２３，３３に挿入され、掛止される。
【００５５】
例えば、図３に示すように、溝部２３は、把持部２２同士の対向する面の表面からその裏面側方向へ凹んだ形状に形成され、溝部３３は、連結部４の位置よりも挟持片３１側寄りの挟持部材３の外表面からその裏面側方向へ凹んだ形状に形成されている。
【００５６】
各溝部２３，３３は、溝部２３，３３の入口から深さ方向に向かう底壁まで徐々に先細りするように形成されており、バネ部材５が、溝部２３，３３内部の底壁や壁面などを含む内壁２３１，３３１に当接するなどして掛止される。
【００５７】
他方の挟持部材３には、溝部３３が設けられた位置よりも把持部３２側から滑り止め部３５付近にかけて、略楕円状の溝孔３４が挟持部材３の幅方向中間に直線状に形成されている。
【００５８】
上述のような挟持部材２，３の構成により、バネ部材５の一端が、一方の挟持部材２の溝部２３に掛止された状態で、バネ部材５の他端が、他方の挟持部材３の溝孔３４を経由して、溝孔３４よりも挟持片３１側に設けられた溝部３３の内壁３３１に掛止される。
【００５９】
バネ部材５がこのようにして挟持部材２，３に設けられるので、挟持片２１，３１は常時閉じる方向へ付勢され、把持部２２，３２同士が接近する方向に操作されると、バネ部材５の付勢力に抗して、挟持片２１，３１がそれぞれ離間する方向に移動する。
【００６０】
把持部３２には、開閉操作のために掛けられた指が当接する部位に滑り止め部３５が設けられている。
【００６１】
図示するように、滑り止め部３５は、他方の把持部３２の外表面に設けられている。
【００６２】
滑り止め部３５は、丸い形状に形成された小突起が、縦横に３列ずつ整列して構成されている。
【００６３】
尚、滑り止め部３５は、他方の把持部３２にのみ設けられるのではなく、両把持部２２，３２の外表面にそれぞれ設けられるとより滑り止め効果が高まるのでより好ましい。また、把持部２２，３２の開閉操作時に指が滑るなどする虞がなくなるので、把持部２２，３２の少なくとも一方に滑り止め部３５が設けられた構成が好適ではあるが、勿論滑り止め部３５を設けない構成であってもよい。
【００６４】
滑り止め部３５は、丸状の小突起が複数整列してなるものだけでなく、例えば、線状の突起が複数整列してなるものなどであってもよく、開閉操作時に掛けられた指の滑り止め機能を有するものであればよい。
【００６５】
また、滑り止め部は、図示するような箇所のみでなく、例えば、把持部３２の指が当接する縁部などに設けられるのであってもよい。
【００６６】
（使用方法）
上述した竿ピンチ１は、図５，６に示すように、対になる挟持部材２，３同士が当接する面に平行且つ連結部４の中心を通る軸Ｘが、鉛直方向に設定された状態で好適に使用されるものである。
【００６７】
把持部２２，３２を近接する方向に操作して、両挟持片２１，３１をバネ部材５の付勢力に抗して開放させ、開放状態の挟持片２１，３１の間に物干竿Ｓを位置させる。
【００６８】
竿ピンチ１は、挟持片２１，３１間を二分する中間軸が鉛直方向に位置する状態で、側方に位置する把持部２２，３２を鉛直方向に操作して、挟持片２１，３１を解放状態とする。
【００６９】
その後、把持部２２，３２が近接する方向に操作していた力を緩めると、バネ部材５の付勢力によって物干竿Ｓが両挟持片２１，３１で挟み込まれる。
【００７０】
このようにして物干竿Ｓに取り付けられた竿ピンチ１の各把持部２２，３２は、側方に位置するようになる。
【００７１】
物干竿Ｓから竿ピンチ１を取り外す際においても、把持部２２，３２が略水平方向に位置しているので、物干竿Ｓの上方から取り外す必要がなく、背伸びなどする必要なく容易に把持部２２，３２を操作して竿ピンチ１を取り外すことができる。
【００７２】
上述したように、本発明品の竿ピンチ１であれば、高所であっても取り付け及び取り外しがし易い。
【００７３】
上述した挟持片２１，３１及び把持部２２，３２は、例えば、ポリプロピレン、ポリカーボネート或いはＡＢＳ樹脂などの合成樹脂材料からなり、射出成形などによって左右で一対となる挟持片２１，３１及び把持部２２，３２を備える挟持部材２，３として一体成形される。
【００７４】
上述した挟持片２１，３１は、対になる挟持部材２，３同士が当接する面に平行且つ連結部４の中心を通る軸Ｘに対して左右対称に形成されていると説明したが、これに限定されるものでなく、本発明の構成要件を満たすものであれば、一対の挟持片２１，３１が左右非対称な形状であってもよい。
【００７５】
また、竿ピンチ１は、一枚のシート状の部材を折り曲げて挟持部材２，３を構成したような、内側が刳り貫かれた形状のものを図示しているが、本発明の構成要件を満たすものであれば、この形状に限定されるものではない。
【００７６】
以上説明したように、連結部４によって開閉自在に連結される一対の挟持片２１，３１と、前記挟持片２１，３１が閉じる方向へ付勢するバネ部材５と、前記挟持片２１，３１と一体成形され、前記一対の挟持片２１，３１を開閉させるための操作部となる一対の把持部２２，３２と、を備え、前記一対の挟持片２１，３１間を二分する中間軸Ｘと、前記一対の把持部２２，３２間を二分する中間軸Ｉとのなす角度が、平角よりも小さい角度となるように設けられ、且つ前記一対の挟持片２１，３１間の中間軸Ｘと前記一対の把持部２２，３２のうち一方の把持部２２とのなす角度αが鋭角となるように設けられるので、挟持片２１，３１が下向きとなる姿勢において、一対の挟持片２１，３１の中間軸Ｘと一対の把持部２２，３２の中間軸Ｉとのなす角度が、平角より小さい角度となるように設けられ、且つ一対の挟持片２１，３１の中間軸Ｘと一方の把持部２２とのなす角度αが、鋭角となるように設けられる構成によって、側方から把持部２２，３２を鉛直方向に操作でき、それも一方の把持部２２が略水平位置或いは水平位置よりも下方位置の間に位置するため、開閉操作が容易になり、物干竿Ｓへの取り付け及び取り外しがし易い。
【００７７】
以上説明した実施形態は、本発明の一例に過ぎず、本発明の作用効果を奏する範囲において具体的構成などを適宜変更設計できることは言うまでもない。
【符号の説明】
【００７８】
１…竿ピンチ
２，３…挟持部材
２１，３１…挟持片
２２，３２…把持部
３５…滑り止め部
４…連結部
５…バネ部材
１００…従来の竿ピンチ
Ｘ…中間軸
Ｉ…中間軸
Ｓ…物干竿
【図１】
2014180420.tif 000003
【図２】
2014180420.tif 000004
【図３】
2014180420.tif 000005
【図４】
2014180420.tif 000006
【図５】
2014180420.tif 000007
【図６】
2014180420.tif 000008